(57)【要約】【課題】球状体の無駄な消費を抑えて製造コストを低減し得る球状体搭載方法を提供する。【解決手段】搭載対象の基板４００に半田ボール等の球状体を搭載する際に、基板４００が複数面付けされた多面付け基板５００を切断して各基板４００に分割する切断処理、および各基板４００に対する電気的検査を所定の順序で実行し、電気的検査において良品と判別された基板４００にのみ球状体を搭載する。この場合、多面付け基板５００を切断して各基板４００に分割した後（切断処理を実行した後）に各基板４００に対する電気的検査を実行する方法を採用することができる。【選択図】図５
2011049517.tif 000002
【特許請求の範囲】
【請求項１】
搭載対象基板に球状体を搭載する球状体搭載方法であって、
前記搭載対象基板が複数面付けされた多面付け基板を切断して各搭載対象基板に分割する切断処理および前記各搭載対象基板に対する電気的検査を所定の順序で実行し、前記電気的検査において良品と判別された前記搭載対象基板にのみ前記球状体を搭載する球状体搭載方法。
【請求項２】
前記切断処理を実行した後に前記電気的検査を実行する請求項１記載の球状体搭載方法。
【請求項３】
搭載対象基板に球状体を搭載する球状体搭載装置と、当該球状体搭載装置を制御する制御部とを備えた球状体搭載システムであって、
前記搭載対象基板が複数面付けされた多面付け基板を切断して各搭載対象基板に分割する切断処理を実行する切断装置、および前記各搭載対象基板に対する電気的検査を実行する検査装置を備え、
前記制御部は、前記球状体搭載装置に対して前記電気的検査において良品と判別された前記搭載対象基板にのみ前記球状体を搭載させる球状体搭載システム。
【請求項４】
前記検査装置は、前記切断装置によって分割された前記搭載対象基板に対して前記電気的検査を実行する請求項３記載の球状体搭載システム。
【請求項５】
請求項１または２記載の球状体搭載方法によって前記搭載対象基板に搭載された前記球状体を溶融して当該搭載対象基板に固着させた球状体搭載済基板。
【請求項６】
請求項３または４記載の球状体搭載システムによって前記搭載対象基板に搭載された前記球状体を溶融して当該搭載対象基板に固着させた球状体搭載済基板。
【請求項７】
請求項５または６記載の球状体搭載済基板に固着された前記球状体を介して接続された電子部品が当該球状体搭載済基板に搭載されている電子部品搭載済基板。
【発明の詳細な説明】
【技術分野】
【０００１】
本発明は、搭載対象基板に球状体を搭載する球状体搭載方法および球状体搭載システム、その球状体搭載方法または球状体搭載システムを用いて製造される球状体搭載済基板、並びにその球状体搭載済基板に電子部品が搭載された電子部品搭載済基板に関するものである。
【背景技術】
【０００２】
基板に球状体（半田ボール）を搭載する装置として、特開２００３−１００７８９号公報に開示された半田（はんだ）ボール搭載装置が知られている。この半田ボール搭載装置は、半田ボールを供給する半田ボール供給部、搭載対象基板（パッケージ）を搬送する搬送部、および整列マスクを移動させる移動部等を備えて、半田ボール供給部によって供給された半田ボールを整列マスクで吸着し、その半田ボールをパッケージの搭載対象基板の接続端子に搭載可能に構成されている。一方、小形の基板を製造する際には、複数の基板（ピース）を面付けした多面付け基板として製造することで、製造効率の向上が図られている。この場合、このような多面付け基板に上記の半田ボール搭載装置を用いて半田ボールを搭載する際には、一般的に、多面付け基板の状態（未切断の状態）の各ピースにおける接続端子に半田ボールを搭載した後に、リフロー処理を行い、次いで、リフロー処理後の多面付け基板を切断して各ピースに分割し、続いて、分割した各ピースについて、配線パターンの断線や短絡などの電気的検査、およびリフロー後の半田の高さなどの形状的検査を行ってピースの良否を判別する方法（半田ボール搭載方法）が採用されている。
【先行技術文献】
【特許文献】
【０００３】
【特許文献１】特開２００３−１００７８９号公報（第３頁、第１図）
【発明の開示】
【発明が解決しようとする課題】
【０００４】
ところが、上記の半田ボール搭載装置を用いた従来の半田ボール搭載方法には、改善すべき以下の課題がある。すなわち、従来の半田ボール搭載方法では、多面付け基板の状態の各ピースにおける接続端子に半田ボールを搭載した後に、リフロー処理および切断を行い、最後に電気的検査や形状的検査を行ってピースの良否を判別している。このため、この半田ボール搭載方法では、多面付け基板の製造段階において電気的に不良なピース（例えば、配線パターンが断線しているピース）が存在していたとしても、半田ボールを搭載する時点では不良ピースの存在が把握されずに、そのピースを含む全てのピースの接続端子に半田ボールが搭載される。したがって、最後に行われる電気的検査において不良ピースが発見されたときには、そのピースに搭載された半田ボールは、無駄に消費されたこととなる。一方、基板の高密度化に伴って搭載される半田ボールも微小化が進んでおり、これに起因して半田ボールの価格が高騰している。このため、従来の半田ボール搭載方法には、高価な半田ボールが無駄に消費されることがあり、その分、製造コストの低減が困難であるという課題が存在する。
【０００５】
本発明は、かかる課題に鑑みてなされたものであり、球状体の無駄な消費を抑えて製造コストを低減し得る球状体搭載方法および球状体搭載システム、その球状体搭載方法または球状体搭載システムを用いて製造される球状体搭載済基板、並びにその球状体搭載済基板に電子部品が搭載された電子部品搭載済基板を提供することを主目的とする。
【課題を解決するための手段】
【０００６】
上記目的を達成すべく請求項１記載の球状体搭載方法は、搭載対象基板に球状体を搭載する球状体搭載方法であって、前記搭載対象基板が複数面付けされた多面付け基板を切断して各搭載対象基板に分割する切断処理および前記各搭載対象基板に対する電気的検査を所定の順序で実行し、前記電気的検査において良品と判別された前記搭載対象基板にのみ前記球状体を搭載する。
【０００７】
また、請求項２記載の球状体搭載方法は、請求項１記載の球状体搭載方法において、前記切断処理を実行した後に前記電気的検査を実行する。
【０００８】
また、請求項３記載の球状体搭載システムは、搭載対象基板に球状体を搭載する球状体搭載装置と、当該球状体搭載装置を制御する制御部とを備えた球状体搭載システムであって、前記搭載対象基板が複数面付けされた多面付け基板を切断して各搭載対象基板に分割する切断処理を実行する切断装置、および前記各搭載対象基板に対する電気的検査を実行する検査装置を備え、前記制御部は、前記球状体搭載装置に対して前記電気的検査において良品と判別された前記搭載対象基板にのみ前記球状体を搭載させる。
【０００９】
また、請求項４記載の球状体搭載システムは、請求項３記載の球状体搭載システムにおいて、前記検査装置は、前記切断装置によって分割された前記搭載対象基板に対して前記電気的検査を実行する。
【００１０】
また、請求項５記載の球状体搭載済基板は、請求項１または２記載の球状体搭載方法によって前記搭載対象基板に搭載された前記球状体が溶融されて当該搭載対象基板に固着されている。
【００１１】
また、請求項６記載の球状体搭載済基板は、請求項３または４記載の球状体搭載システムによって前記搭載対象基板に搭載された前記球状体が溶融されて当該搭載対象基板に固着されている。
【００１２】
また、請求項７記載の電子部品搭載済基板は、請求項５または６記載の球状体搭載済基板に固着された前記球状体を介して接続された電子部品が当該球状体搭載済基板に搭載されている。
【発明の効果】
【００１３】
請求項１記載の球状体搭載方法、および請求項３記載の球状体システムでは、搭載対象基板が複数面付けされた多面付け基板を切断して各搭載対象基板に分割する切断処理および各搭載対象基板に対する電気的検査を所定の順序で実行し、電気的検査において良品と判別された搭載対象基板にのみ球状体を搭載する。このため、この球状体搭載方法および球状体搭載システムによれば、電気的に不良な搭載対象基板に対する球状体の搭載を確実に回避することができ、これによって球状体の無駄な消費を確実に抑えることができる結果、製造コストを十分に低減することができる。
【００１４】
また、請求項２記載の球状体搭載方法、および請求項４記載の球状体システムでは、切断処理を実行した後に電気的検査を実行する。このため、この球状体搭載方法および球状体搭載システムでは、例えば、切断処理の際の振動などに起因して搭載対象基板の端子やスルーホールなどに断線や短絡が生じたとしても、その搭載対象基板を不良品として確実に判別することができる。したがって、この球状体搭載方法および球状体搭載システムによれば、多面付け基板の製造時において生じている不良な搭載対象基板に対する球状体の搭載による球状体の無駄な消費を抑えることができるのに加えて、切断処理に起因して生じた不良な搭載対象基板に対する球状体の搭載による球状体の無駄な消費も確実に抑えることができる結果、製造コストを一層低減することができる。
【００１５】
また、請求項５，６記載の球状体搭載済基板では、上記の球状体搭載方法または球状体搭載システムによって前記搭載対象基板に搭載された前記球状体が溶融されて当該搭載対象基板に固着されている。このため、電気的に良好な搭載対象基板だけに球状体が搭載され、これによって球状体の無駄な消費が抑えられる結果、球状体搭載済基板の製造コストが低減されている。したがって、この球状体搭載済基板によれば、製造コストが低減されている分、この球状体搭載済基板に電子部品を搭載した電子部品搭載済基板の製造コストを十分に低減することができる。
【００１６】
また、請求項７記載の電子部品搭載済基板では、上記の球状体搭載済基板に固着された球状体を介して接続された電子部品が球状体搭載済基板に搭載されている。このため、この電子部品搭載済基板では、球状体搭載済基板の製造コストが低減されている分、この電子部品搭載済基板の製造コストも十分に低減されている。したがって、この電子部品搭載済基板によれば、この電子部品搭載済基板を用いた製品の製造コストを十分に低減することができる。
【図面の簡単な説明】
【００１７】
【図１】半田ボール搭載システム１の構成を示す構成図である。
【図２】切断装置２の構成を示す構成図である。
【図３】検査装置３の構成を示す構成図である。
【図４】搭載装置４の構成を示す構成図である。
【図５】多面付け基板５００の平面図である。
【図６】基板４００の平面図である。
【図７】吸着ヘッド５１の断面図である。
【図８】半田搭載済基板６００の構成を示す断面図である。
【図９】電子部品搭載済基板７００の構成を示す断面図である。
【発明を実施するための形態】
【００１８】
以下、球状体搭載方法、球状体搭載システム、球状体搭載済基板および電子部品搭載済基板の実施の形態について、添付図面を参照して説明する。
【００１９】
最初に、図１に示す半田ボール搭載システム（球状体搭載システム）１の構成について説明する。半田ボール搭載システム１は、同図に示すように、搭載対象基板（例えば、図６に示す基板４００）に球状体の一例としての微小な球状粒体である半田ボール（マイクロボール）３００（図７参照）を搭載可能に構成されている。この場合、基板４００は、一例として、図３に示すように、両面に端子４０１が形成されると共に、両面の端子４０１を接続するスルーホール４０２が形成されている。また、基板４００は、図５，６に示すように、複数の基板４００（ピース）を面付け（配列）した多面付け基板５００を切断することによって分割される。また、半田ボール３００は、直径が７０μｍ程度の球状に構成されている。また、半田ボール３００は、図８に示すように、半田ボール搭載システム１によって基板４００の端子４０１に搭載された後に加熱処理（リフロー処理）がされて溶融され、半球状（同図に示す半田３０１）となった状態で基板４００（端子４０１）に固着されて基板４００上にボールグリッドアレイ（ＢＧＡ）を構成し、これによって半田搭載済基板（球状体搭載済基板）６００が製造される。また、図９に示すように、このようにして製造された半田搭載済基板６００には、集積回路等の電子部品７０１が搭載され、その電子部品７０１における図外の端子が半田搭載済基板６００における基板４００に固着された半田ボール３００（半田３０１）を介して基板４００の端子４０１に接続され、これによって電子部品搭載済基板７００が製造される。
【００２０】
一方、半田ボール搭載システム１は、図１に示すように、切断装置２、検査装置３、搭載装置（球状体搭載装置）４、搬送装置５および制御部６を備えて構成されている。切断装置２は、図２に示すように、保持台２１および切断機構２２を備えて、多面付け基板５００を切断して複数の基板４００に分割する切断処理を実行する。この場合、保持台２１は、図外の供給装置によって供給される多面付け基板５００を支持可能に構成されている。切断機構２２は、保持台２１に載置されている多面付け基板５００に切断ブレード（ダイシングブレード）を回転させつつ接触させることによって多面付け基板５００を切断する。
【００２１】
検査装置３は、図３に示すように、電源部３１、電圧検出部３２、電流検出部３３、複数のプローブ３４、および検査部３５を備えて、基板４００に対する電気的検査を実行して、基板４００の良否（具体的には、各端子４０１や各スルーホール４０２の断線や短絡の有無）を判別する。この場合、電源部３１は、検査用電流Ｉ（一例として、直流電流）を出力する。電圧検出部３２は、プローブ３４を介して検査対象の端子４０１（スルーホール４０２）に検査用電流Ｉが供給されたときに端子４０１間に生じる電圧Ｖの電圧値を検出し、電流検出部３３は、供給される検査用電流Ｉの電流値を検出する。検査部３５は、電圧検出部３２によって検出された電圧Ｖの電圧値と電流検出部３３によって検出された検査用電流Ｉの電流値とに基づいて端子４０１間の抵抗値を測定し、その測定値に基づいて端子４０１（スルーホール４０２）の断線や短絡の有無、つまり基板４００の良否を判別する。
【００２２】
搭載装置４は、図４に示すように、半田ボール吸着部４１および移動機構４２を備えて構成され、半田ボール３００を基板４００の端子４０１に搭載する搭載処理を実行する。この場合、半田ボール吸着部４１は、吸着ヘッド５１（図７参照）、半田ボール供給部および整列用プレート（いずれも図示せず）を備えて、半田ボール３００を吸着可能に構成されている。吸着ヘッド５１は、同図に示すように、一例として、内部に空隙５２が形成された箱状に構成されると共に、吸着面（同図における下面）に開口する複数の吸気孔５３が形成されている。この場合、吸着ヘッド５１は、空隙５２内が排気によって負圧状態となることにより、半田ボール供給部によって供給されて、整列用プレートによって整列された半田ボール３００を吸気孔５３の縁部に吸着する（同図参照）。移動機構４２は、半田ボール３００の供給が行われる位置（整列用プレートの配置位置）と基板４００が搬送される位置（搭載位置）との間で半田ボール吸着部４１の吸着ヘッド５１を移動させる。
【００２３】
搬送装置５は、切断装置２、検査装置３および搭載装置４の間で基板４００を搬送する搬送処理を実行する。具体的には、搬送装置５は、切断装置２によって実行される切断処理で分離された各基板４００を検査装置３に搬送する。また、搬送装置５は、検査装置３によって実行される電気的検査において良品と判別された基板４００だけを搭載装置４に搬送し、電気的検査において不良品と判別された基板４００を所定の保管場所に搬送する。制御部６は、切断装置２、検査装置３、搭載装置４および搬送装置５を制御する。
【００２４】
次に、半田ボール搭載システム１を用いて半田ボール３００を基板４００に搭載する方法（球状体搭載方法）、およびその際の半田ボール搭載システム１の動作について、図面を参照して説明する。
【００２５】
この半田ボール搭載システム１では、処理開始が指示されたときに、制御部６が、切断装置２、検査装置３、搭載装置４および搬送装置５に対して各処理の実行を指示する。これに応じて、切断装置２が切断処理を実行する。この切断処理では、切断装置２の保持台２１が、図外の供給装置によって供給された多面付け基板５００（図５参照）を保持する。次いで、切断装置２の切断機構２２が、切断ブレードを回転させつつ多面付け基板５００に接触させることによって多面付け基板５００を切断する。これにより、図６に示すように、各基板４００が分離される。
【００２６】
続いて、搬送装置５が、制御部６による処理実行の指示に従って搬送処理を実行する。この搬送処理では、搬送装置５は、切断装置２による切断処理で分離された各基板４００を検査装置３に搬送する。
【００２７】
次いで、検査装置３が、制御部６の指示に従って電気的検査を実行する。この電気的検査では、検査装置３は、図３に示すように、電源部３１によって出力された検査用電流Ｉをプローブ３４を介して検査対象の端子４０１に供給する。続いて、検査装置３の電圧検出部３２が検査用電流Ｉの供給によって端子４０１間に生じる電圧Ｖの電圧値を検出し、検査装置３の電流検出部３３が検査用電流Ｉの電流値を検出する。次いで、検査装置３の検査部３５が、電圧Ｖの電圧値と検査用電流Ｉの電流値とに基づいて端子４０１間の抵抗値を測定し、その測定値に基づいて端子４０１やスルーホール４０２の断線や短絡の有無を判別する。この場合、検査部３５は、断線や短絡が存在していないときにはその基板４００を良品と判別し、断線や短絡が存在しているときにはその基板４００を不良品と判別する。
【００２８】
この場合、この半田ボール搭載システム１では、上記したように切断処理の実行後に基板４００に対する電気的検査を実行している。このため、この半田ボール搭載システム１では、多面付け基板５００の製造時において端子４０１やスルーホール４０２に断線や短絡が生じた基板４００を不良品として選別できることに加えて、例えば、切断処理の際の振動などに起因して端子４０１やスルーホール４０２に断線や短絡が生じた基板４００も不良品として選別することが可能となっている。
【００２９】
続いて、搬送装置５は、搬送処理を実行することにより、上記の電気的検査において良品と判別された基板４００だけを搭載装置４における所定の搭載位置に搬送する。また、搬送装置５は、電気的検査において不良品と判別された基板４００を所定の保管場所に搬送する。
【００３０】
一方、搭載装置４は、制御部６の指示に従って搭載処理を実行する。この搭載処理では、搭載装置４の移動機構４２（図４参照）が、半田ボール吸着部４１の吸着ヘッド５１（図７参照）を半田ボール３００の供給が行われる位置に移動させる。次いで、半田ボール吸着部４１の半田ボール供給部（図示せず）が吸着ヘッド５１に対して半田ボール３００を供給する。この際に、半田ボール３００が整列用プレートによって整列されて、同図に示すように、吸着ヘッド５１における吸気孔５３の縁部に吸着される。続いて、移動機構４２が、搬送装置５によって搭載位置に搬送されている基板４００の上方に吸着ヘッド５１を移動させ、次いで、半田ボール３００が基板４００の各端子４０１に接触するように吸着ヘッド５１を下降させる。続いて、搭載装置４は、吸着ヘッド５１による半田ボール３００の吸着を解除する。これにより、半田ボール３００が基板４００における端子４０１上（端子４０１に塗布された半田フラックス上）に載置される。
【００３１】
この場合、この半田ボール搭載システム１（球状体搭載方法）では、上記したように、搬送装置５が制御部６の指示に従って搬送処理を実行して電気的検査において良品と判別された基板４００だけを搭載装置４に搬送するため、良品と判別された基板４００にのみ搭載装置４によって半田ボール３００が搭載される。したがって、この半田ボール搭載システム１では、電気的に不良な基板４００に対する半田ボール３００の搭載が確実に回避されて、半田ボール３００の無駄な消費が抑えられる結果、製造コストを十分に低減することが可能となっている。
【００３２】
次いで、切断装置２、検査装置３、搭載装置４および搬送装置５が制御部６の指示に従って上記した各処理を繰り返して実行することにより、良品の基板４００のみに対する半田ボール３００の搭載が連続して行われる。なお、半田ボール３００の搭載が完了した基板４００（搭載済みの基板４００）は、図外の取り出し装置によって取り出されて、図外の搭載状態検査装置に搬送され、搭載状態検査装置によって半田ボール３００が過不足なく搭載されているか否かの搭載状態検査が行われる。この場合、搭載状態検査において不良と判別された基板４００は、不良品のストック場所に搬送される。また、搭載状態検査において良好と判別された基板４００は、図外のリフロー処理装置に搬送され、そのリフロー処理装置によってリフロー処理（溶融処理）が実行されることにより、図８に示すように、基板４００の端子４０１に搭載された各半田ボール３００が溶融されて半球状（同図に示す半田３０１）となった状態で、端子４０１に固着する。また、固着された半田３０１によって基板４００上にボールグリッドアレイ（ＢＧＡ）が構成される。以上により、同図に示すように、半田搭載済基板（球状体搭載済基板）６００が製造される。次いで、半田搭載済基板６００は、図外の電子部品搭載装置に搬送され、続いて、電子部品搭載装置によって半田搭載済基板６００に電子部品７０１が搭載される。次いで、例えばリフロー処理により、半田搭載済基板６００における基板４００の端子４０１に固着された半田ボール３００（半田３０１）が溶融されることで、搭載された電子部品７０１における図外の端子が、溶融された半田ボール３００（半田３０１）を介して基板４００の端子４０１に接続される。これにより、図９に示すように、電子部品搭載済基板７００が製造される。
【００３３】
このように、この球状体搭載方法および半田ボール搭載システム１では、基板４００が複数面付けされた多面付け基板５００を切断して各基板４００に分割する切断処理および各基板４００に対する電気的検査を所定の順序で実行し、電気的検査において良品と判別された基板４００にのみ半田ボール３００を搭載する。このため、この球状体搭載方法および半田ボール搭載システム１によれば、電気的に不良な基板４００に対する半田ボール３００の搭載を確実に回避することができ、これによって半田ボール３００の無駄な消費を確実に抑えることができる結果、製造コストを十分に低減することができる。
【００３４】
また、この球状体搭載方法および半田ボール搭載システム１では、切断処理を実行した後に電気的検査を実行する。このため、この球状体搭載方法および半田ボール搭載システム１では、例えば、切断処理の際の振動などに起因して端子４０１やスルーホール４０２に断線や短絡が生じたとしても、その基板４００を不良品として確実に判別することができる。したがって、この半田ボール搭載システム１によれば、多面付け基板５００の製造時において生じている不良な基板４００に対する半田ボール３００の搭載による半田ボール３００の無駄な消費を抑えることができるのに加えて、切断処理に起因して生じた不良な基板４００に対する半田ボール３００の搭載による半田ボール３００の無駄な消費も確実に抑えることができる結果、製造コストを一層低減することができる。
【００３５】
また、この半田搭載済基板６００では、上記の半田ボール搭載システム１（球状体搭載方法）によって基板４００に搭載された半田ボール３００が溶融されて基板４００に固着されている。このため、電気的に良好な基板４００だけに半田ボール３００が搭載され、これによって半田ボール３００の無駄な消費が抑えられる結果、半田搭載済基板６００の製造コストが低減されている。したがって、この半田搭載済基板６００によれば、製造コストが低減されている分、この半田搭載済基板６００に電子部品７０１を搭載した電子部品搭載済基板７００の製造コストを十分に低減することができる。
【００３６】
また、この電子部品搭載済基板７００では、上記の半田搭載済基板６００における基板４００に固着された半田ボール３００（半田３０１）を介して接続された電子部品７０１が半田搭載済基板６００に搭載されている。このため、この電子部品搭載済基板７００では、半田搭載済基板６００の製造コストが低減されている分、この電子部品搭載済基板７００の製造コストも十分に低減されている。したがって、この電子部品搭載済基板７００によれば、この電子部品搭載済基板７００を用いた製品の製造コストを十分に低減することができる。
【００３７】
なお、多面付け基板５００を切断して各基板４００に分割する切断処理を実行した後に基板４００に対する電気的検査を実行する方法および構成について上記したが、基板４００に対する電気的検査を実行した後に搭載処理を実行し、その後に切断処理を実行する方法および構成を採用することもできる。具体的には、この方法および構成では、検査装置３が、多面付け基板５００の状態における各基板４００（未切断の状態の各基板４００）に対して電気的検査を実行する。次いで、搭載装置４が、多面付け基板５００の状態における各基板４００に対して半田ボール３００を搭載する。この場合、搭載装置４は、制御部６の指示に従い、多面付け基板５００における各基板４００の中から電気的検査において良品と判別された基板４００を選別して、その良品の基板４００のみに半田ボール３００を搭載する。続いて、半田ボール３００が、搭載された多面付け基板５００に対してリフロー処理を行う。次いで、切断装置２が、その多面付け基板５００を切断して各基板４００に分割する。この搭載方法および構成においても、電気的検査において良品と判別された基板４００にのみ半田ボール３００を搭載するため、電気的に不良な基板４００に対する半田ボール３００の搭載を確実に回避することができ、これによって半田ボール３００の無駄な消費を確実に抑えることができる結果、製造コストを十分に低減することができる。
【００３８】
また、基板４００に対する電気的検査を実行した後に切断処理を実行し、その後に搭載処理を実行する方法および構成を採用することもできる。具体的には、この方法および構成では、検査装置３が、多面付け基板５００の状態における各基板４００（未切断の状態の各基板４００）に対して電気的検査を実行する。続いて、切断装置２が、多面付け基板５００を切断して各基板４００に分割する。次いで、切断した各基板４００の中から電気的検査において良品と判別された基板４００を選別する。続いて、搭載装置４が、良品として選別した基板４００のみに対して半田ボール３００を搭載する。この搭載方法および構成においても、電気的検査において良品と判別された基板４００にのみ半田ボール３００を搭載するため、電気的に不良な基板４００に対する半田ボール３００の搭載を確実に回避することができ、これによって半田ボール３００の無駄な消費を確実に抑えることができる結果、製造コストを十分に低減することができる。
【符号の説明】
【００３９】
１  半田ボール搭載システム
２  切断装置
３  検査装置
４  搭載装置
６  制御部
３００  半田ボール
３０１  半田
４００  基板
５００  多面付け基板
６００  半田搭載済基板
７００  電子部品搭載済基板
７０１  電子部品
【図１】
2011049517.tif 000003
【図２】
2011049517.tif 000004
【図３】
2011049517.tif 000005
【図４】
2011049517.tif 000006
【図５】
2011049517.tif 000007
【図６】
2011049517.tif 000008
【図７】
2011049517.tif 000009
【図８】
2011049517.tif 000010
【図９】
2011049517.tif 000011